(57)【要約】【課題】ページサイズの異なる複数の冊子を後加工機の再調整を要することなく１つのラインで印刷・加工するための印刷データを生成する低コストでの運用が可能な印刷データ生成装置を実現する。【解決手段】印刷ジョブデータ生成部４３は、入稿データＤｉｎと台割りテンプレートＤｔとに基づき、単位印刷シート上における実際の各ページの配置位置を特定する台割り情報を含む印刷ジョブデータＤｊを生成する。その際、印刷ジョブデータ生成部４３は、入稿データＤｉｎのページサイズが台割りテンプレートＤｔのページサイズよりも小さければ、台割りテンプレートＤｔで定められているレイアウトにおける各ページを用紙幅方向についての一端または他端を固定しつつ入稿データＤｉｎに含まれるページの横サイズに応じて縮小して、実際の各ページの配置位置を決定する。【選択図】図９
2019144928.tif 000002
【特許請求の範囲】
【請求項１】
印刷用紙に印刷を行う印刷機に与えるための印刷データを入稿データに基づいて生成する印刷データ生成装置であって、
１単位の印刷領域である単位印刷シート上における前記印刷用紙の送り方向である第１方向と直交する第２方向に関する各ページのページ配置領域を含むレイアウトを取得するレイアウト取得部と、
前記各ページのページ配置領域と前記入稿データとに基づいて、前記印刷機で印刷が実行される際の前記単位印刷シート上における各ページの実際の配置位置を決定するページ配置決定部と、
前記ページ配置決定部によって決定された各ページの実際の配置位置と前記入稿データとに基づいて、前記印刷機で印刷されるべき全てのページの面付けレイアウトを特定する全体面付け情報を生成する全体面付け情報生成部と、
前記全体面付け情報に基づいて前記入稿データにラスタライズ処理を施すことによって前記印刷データを生成するラスタライズ処理部と
を備え、
前記ページ配置決定部は、前記ページ配置領域の前記第２方向についての一端または他端の一方を固定端として固定しつつ前記ページ配置領域のサイズを前記入稿データに含まれる各ページの第２方向長に応じて変更して、前記単位印刷シート上における各ページの実際の配置位置を決定することを特徴とする、印刷データ生成装置。
【請求項２】
前記ページ配置領域は、前記単位印刷シートの前記第２方向長と前記単位印刷シートに割り付けられたページの数とに基づいて前記単位印刷シート上に１ページ分の領域として割り当てることのできる最大ページサイズを有しており、
前記ページ配置決定部は、前記入稿データに含まれるページの前記第２方向長に応じて前記ページ配置領域のサイズを縮小して、前記単位印刷シート上における各ページの実際の配置位置を決定することを特徴とする、請求項１に記載の印刷データ生成装置。
【請求項３】
前記ページ配置領域の周囲には、前記印刷機で印刷が実行される際にページの四方に設けられる塗り足し領域が配され、
前記単位印刷シート上の領域のうち前記第１方向についての各ページの一端側のページ外の領域を第１余白領域と定義すると、前記第１余白領域のうち前記塗り足し領域以外の領域の全部または一部を削除することによって前記単位印刷シートの第１方向長を短くする単位印刷シート縮小部を備えることを特徴とする、請求項１または２に記載の印刷データ生成装置。
【請求項４】
前記ページ配置領域の周囲には、前記印刷機で印刷が実行される際にページの四方に設けられる塗り足し領域が配され、
前記単位印刷シート上の領域のうち前記第１方向についての各ページの一端側のページ外の領域を第１余白領域と定義すると、前記レイアウト取得部が保持する各ページの第１方向長と前記入稿データに含まれるページの第１方向長との差に相当する長さだけ前記単位印刷シートの第１方向長を短くする単位印刷シート縮小部を備えることを特徴とする、請求項１または２に記載の印刷データ生成装置。
【請求項５】
前記入稿データは、第１のページサイズのページを印刷するための第１ジョブデータと、前記第１のページサイズとは異なる第２のページサイズのページを印刷するための第２ジョブデータとを前記印刷機により連続して前記印刷用紙に印刷するためのデータであり、
前記ページ配置決定部は、前記ページ配置領域の前記第２方向についての一端または他端の一方を固定端として固定しつつ前記ページ配置領域のサイズを前記第１のページサイズの第２方向長に応じて変更して、前記第１ジョブデータに含まれる各ページの前記単位印刷シート上における実際の配置位置を決定すると共に、前記ページ配置領域の前記固定端と同じ側の端辺を固定しつつ前記ページ配置領域のサイズを前記第２のページサイズの第２方向長に応じて変更して、前記第２ジョブデータに含まれる各ページの前記単位印刷シート上における実際の配置位置を決定することを特徴とする、請求項１から４までのいずれか１項に記載の印刷データ生成装置。
【請求項６】
前記レイアウトをテンプレートとして保持するテンプレート保持部を更に備え、
前記ページ配置決定部は、前記テンプレート保持部に保持されているテンプレートのうちの前記入稿データに対応するテンプレートと前記入稿データとに基づいて、前記印刷機で印刷が実行される際の前記単位印刷シート上における各ページの実際の配置位置を決定することを特徴とする、請求項１から５までのいずれか１項に記載の印刷データ生成装置。
【請求項７】
印刷用紙に印刷を行う印刷機に与えるための印刷データを入稿データに基づいて生成する印刷データ生成方法であって、
１単位の印刷領域である単位印刷シート上における前記印刷用紙の送り方向である第１方向と直交する第２方向に関する各ページのページ配置領域を含むレイアウトを読み込むレイアウト読込みステップと、
前記レイアウト読込みステップで読み込まれたレイアウトと前記入稿データとに基づいて、前記印刷機で印刷が実行される際の前記単位印刷シート上における各ページの実際の配置位置を決定するページ配置決定ステップと、
前記ページ配置決定ステップで決定された各ページの実際の配置位置と前記入稿データとに基づいて、前記印刷機で印刷されるべき全てのページの面付けレイアウトを特定する全体面付け情報を生成する全体面付け情報生成ステップと、
前記全体面付け情報に基づいて前記入稿データにラスタライズ処理を施すことによって前記印刷データを生成するラスタライズステップと
を含み、
前記ページ配置決定ステップでは、前記ページ配置領域の前記第２方向についての一端または他端の一方を固定端として固定しつつ前記ページ配置領域のサイズを前記入稿データに含まれる各ページの第２方向長に応じて変更して、前記単位印刷シート上における各ページの実際の配置位置を決定することを特徴とする、印刷データ生成方法。
【請求項８】
印刷用紙に印刷を行う印刷機に与えるための印刷データを入稿データに基づいて生成する印刷データ生成プログラムであって、
１単位の印刷領域である単位印刷シート上における前記印刷用紙の送り方向である第１方向と直交する第２方向に関する各ページのページ配置領域を含むレイアウトを読み込むレイアウト読込みステップと、
前記レイアウト読込みステップで読み込まれたレイアウトと前記入稿データとに基づいて、前記印刷機で印刷が実行される際の前記単位印刷シート上における各ページの実際の配置位置を決定するページ配置決定ステップと、
前記ページ配置決定ステップで決定された各ページの実際の配置位置と前記入稿データとに基づいて、前記印刷機で印刷されるべき全てのページの面付けレイアウトを特定する全体面付け情報を生成する全体面付け情報生成ステップと、
前記全体面付け情報に基づいて前記入稿データにラスタライズ処理を施すことによって前記印刷データを生成するラスタライズステップと
をコンピュータのＣＰＵがメモリを利用して実行し、
前記ページ配置決定ステップでは、前記ページ配置領域の前記第２方向についての一端または他端の一方を固定端として固定しつつ前記ページ配置領域のサイズを前記入稿データに含まれる各ページの第２方向長に応じて変更して、前記単位印刷シート上における各ページの実際の配置位置を決定することを特徴とする、印刷データ生成プログラム。
【発明の詳細な説明】
【技術分野】
【０００１】
本発明は、連続紙を用いた印刷を行う印刷機に与えるための印刷データを生成する印刷データ生成装置に関する。
【背景技術】
【０００２】
従来より、製本用の印刷を行う印刷システムでは、入稿データに基づいて印刷データを生成する前に、印刷用紙上における複数のページの配置位置を特定する台割りの設計が行われている。その設計された台割りの情報は、一般に、テンプレート（以下、「台割りテンプレート」という。）として保存される。そして、入稿データにラスタライズ処理（ＲＩＰ処理）が施される際に、入稿データを構成する各ページの印刷用紙上での配置位置が台割りテンプレートに基づいて決定される。これにより、枚葉紙を用いた印刷の際には１枚の印刷用紙に複数のページが印刷され、また、連続紙を用いた印刷の際には１枚の印刷用紙に相当する領域（１単位の印刷領域）に複数のページが印刷される。以上のようにして得られた印刷物に製本加工が施されることにより、冊子等が作製される。
【０００３】
ところで、近年、典型的には比較的少部数の冊子等をデジタル印刷機で印刷するブック印刷の需要が高まっている。このようなブック印刷に関し、印刷用紙に連続紙を用いて、印刷済みの印刷用紙を表面側または裏面側から見て１ページ分ずつに切断した後の用紙を複数枚積み重ねたものが１つの冊子となるような方式（以下、「カットアンドスタック方式」という。）が採用されることがある。図２７は、カットアンドスタック方式を採用してブック印刷が行われたときの印刷イメージを模式的に示した図である。図２７には、冊子を構成する各ページの印刷用紙上における配置位置が示されている。図２７において印刷用紙内に記している数字はページの番号である。なお、図２７は印刷用紙を表面側から見た図であり、印刷用紙の裏面には偶数ページが配置されている。印刷後には、印刷用紙が図２７における縦方向および横方向に切断され、切断後の用紙を複数枚積み重ねたものが１つの冊子となる。図２７に示す例では、例えば符号９０を付した点線内の複数のページ（用紙）によって１つの冊子が形成される。
【０００４】
また、上述のようなブック印刷が行われる際に、ページサイズの異なる複数の冊子（例えば、Ａ６サイズの冊子とＡ７サイズの冊子）の印刷製本処理が工場内の１つのラインで行われることがある。この場合、後加工機の再調整（詳しくは、印刷用紙を裁断するカッターの刃の位置を或る冊子の処理から別の冊子の処理に移る際に再度調整すること）が不要となるような台割りテンプレートを各ページサイズ毎に予め設計しておくという対応がなされていた（以下、この手法を「従来手法」という。）。この従来手法を用いて例えば、Ａ６サイズの冊子のブック印刷とＡ７サイズの冊子のブック印刷とを連続紙を用いて１つの印刷機で行なうと、図２８に示すような印刷結果が得られる。なお、以下においては、連続紙を用いた印刷が行われる際の１単位の印刷領域に相当する用紙部分のことを「単位印刷シート」という。単位印刷シートＰの横サイズは連続紙の横サイズとほぼ等しい。図２８には、Ａ６サイズおよびＡ７サイズのそれぞれについて、単位印刷シートＰ上の印刷イメージを示している。図２８において、符号９１を付した点線は印刷後に後加工機で切断される位置を表し、符号９２を付した矩形部分はＡ６サイズのページの印刷領域を表し、符号９３を付した矩形部分はＡ７サイズのページの印刷領域を表している。この図２８に示す例では、Ａ６サイズとＡ７サイズとで単位印刷シートＰの切断位置９１が一致しているので、Ａ６サイズの冊子の印刷製本処理とＡ７サイズの冊子の印刷製本処理との間に後加工機の再調整が不要である。
【０００５】
なお、本発明に関連して、特開２００８−１５５６３２号公報には、個別のテンプレートを要することなく複数の画像を印刷用紙に自動的に面付け配置する方法の発明が開示されている。この発明によれば、様々なページサイズのジョブを実行する際にプリプレス作業に要する時間が低減される。また、特開２００２−１７５１６５号公報には、物理用紙をＮ等分（Ｎは１より大きい整数）した領域に対して中央に論理ページが配置されるＮページ印刷機能を提供する情報処理装置の発明が開示されている。
【先行技術文献】
【特許文献】
【０００６】
【特許文献１】特開２００８−１５５６３２号公報
【特許文献２】特開２００２−１７５１６５号公報
【発明の概要】
【発明が解決しようとする課題】
【０００７】
ところが、従来手法によれば、ページサイズに応じて多数の台割りテンプレートを予め用意する必要がある。このため、管理コストが高くなっている。また、作業者は入稿データ毎に当該入稿データのページサイズに対応する台割りテンプレートを選択する必要があり、作業に手間を要していた。
【０００８】
なお、特開２００８−１５５６３２号公報に開示された発明や特開２００２−１７５１６５号公報に開示された発明によれば、ページサイズの異なる複数の冊子の印刷製本処理が１つのラインで行われた場合に後加工機の再調整が必要となる。
【０００９】
そこで、本発明は、ページサイズの異なる複数の冊子を後加工機の再調整を要することなく１つのラインで印刷・加工するための印刷データを生成する、低コストでの運用が可能な印刷データ生成装置を実現することを目的とする。
【課題を解決するための手段】
【００１０】
第１の発明は、印刷用紙に印刷を行う印刷機に与えるための印刷データを入稿データに基づいて生成する印刷データ生成装置であって、
１単位の印刷領域である単位印刷シート上における前記印刷用紙の送り方向である第１方向と直交する第２方向に関する各ページのページ配置領域を含むレイアウトを取得するレイアウト取得部と、
前記各ページのページ配置領域と前記入稿データとに基づいて、前記印刷機で印刷が実行される際の前記単位印刷シート上における各ページの実際の配置位置を決定するページ配置決定部と、
前記ページ配置決定部によって決定された各ページの実際の配置位置と前記入稿データとに基づいて、前記印刷機で印刷されるべき全てのページの面付けレイアウトを特定する全体面付け情報を生成する全体面付け情報生成部と、
前記全体面付け情報に基づいて前記入稿データにラスタライズ処理を施すことによって前記印刷データを生成するラスタライズ処理部と
を備え、
前記ページ配置決定部は、前記ページ配置領域の前記第２方向についての一端または他端の一方を固定端として固定しつつ前記ページ配置領域のサイズを前記入稿データに含まれる各ページの第２方向長に応じて変更して、前記単位印刷シート上における各ページの実際の配置位置を決定することを特徴とする。
【００１１】
第２の発明は、第１の発明において、
前記ページ配置領域は、前記単位印刷シートの前記第２方向長と前記単位印刷シートに割り付けられたページの数とに基づいて前記単位印刷シート上に１ページ分の領域として割り当てることのできる最大ページサイズを有しており、
前記ページ配置決定部は、前記入稿データに含まれるページの前記第２方向長に応じて前記ページ配置領域のサイズを縮小して、前記単位印刷シート上における各ページの実際の配置位置を決定することを特徴とする。
【００１２】
第３の発明は、第１または第２の発明において、
前記ページ配置領域の周囲には、前記印刷機で印刷が実行される際にページの四方に設けられる塗り足し領域が配され、
前記単位印刷シート上の領域のうち前記第１方向についての各ページの一端側のページ外の領域を第１余白領域と定義すると、前記第１余白領域のうち前記塗り足し領域以外の領域の全部または一部を削除することによって前記単位印刷シートの第１方向長を短くする単位印刷シート縮小部を備えることを特徴とする。
【００１３】
第４の発明は、第１または第２の発明において、
前記ページ配置領域の周囲には、前記印刷機で印刷が実行される際にページの四方に設けられる塗り足し領域が配され、
前記単位印刷シート上の領域のうち前記第１方向についての各ページの一端側のページ外の領域を第１余白領域と定義すると、前記レイアウト取得部が保持する各ページの第１方向長と前記入稿データに含まれるページの第１方向長との差に相当する長さだけ前記単位印刷シートの第１方向長を短くする単位印刷シート縮小部を備えることを特徴とする。
【００１４】
第５の発明は、第１から第４までのいずれかの発明において、
前記入稿データは、第１のページサイズのページを印刷するための第１ジョブデータと、前記第１のページサイズとは異なる第２のページサイズのページを印刷するための第２ジョブデータとを前記印刷機により連続して前記印刷用紙に印刷するためのデータであり、
前記ページ配置決定部は、前記ページ配置領域の前記第２方向についての一端または他端の一方を固定端として固定しつつ前記ページ配置領域のサイズを前記第１のページサイズの第２方向長に応じて変更して、前記第１ジョブデータに含まれる各ページの前記単位印刷シート上における実際の配置位置を決定すると共に、前記ページ配置領域の前記固定端と同じ側の端辺を固定しつつ前記ページ配置領域のサイズを前記第２のページサイズの第２方向長に応じて変更して、前記第２ジョブデータに含まれる各ページの前記単位印刷シート上における実際の配置位置を決定することを特徴とする。
【００１５】
第６の発明は、第１から第５までのいずれかの発明において、
前記レイアウトをテンプレートとして保持するテンプレート保持部を更に備え、
前記ページ配置決定部は、前記テンプレート保持部に保持されているテンプレートのうちの前記入稿データに対応するテンプレートと前記入稿データとに基づいて、前記印刷機で印刷が実行される際の前記単位印刷シート上における各ページの実際の配置位置を決定することを特徴とする。
【００１６】
第７の発明は、印刷用紙に印刷を行う印刷機に与えるための印刷データを入稿データに基づいて生成する印刷データ生成方法であって、
１単位の印刷領域である単位印刷シート上における前記印刷用紙の送り方向である第１方向と直交する第２方向に関する各ページのページ配置領域を含むレイアウトを読み込むレイアウト読込みステップと、
前記レイアウト読込みステップで読み込まれたレイアウトと前記入稿データとに基づいて、前記印刷機で印刷が実行される際の前記単位印刷シート上における各ページの実際の配置位置を決定するページ配置決定ステップと、
前記ページ配置決定ステップで決定された各ページの実際の配置位置と前記入稿データとに基づいて、前記印刷機で印刷されるべき全てのページの面付けレイアウトを特定する全体面付け情報を生成する全体面付け情報生成ステップと、
前記全体面付け情報に基づいて前記入稿データにラスタライズ処理を施すことによって前記印刷データを生成するラスタライズステップと
を含み、
前記ページ配置決定ステップでは、前記ページ配置領域の前記第２方向についての一端または他端の一方を固定端として固定しつつ前記ページ配置領域のサイズを前記入稿データに含まれる各ページの第２方向長に応じて変更して、前記単位印刷シート上における各ページの実際の配置位置を決定することを特徴とする。
【００１７】
第８の発明は、印刷用紙に印刷を行う印刷機に与えるための印刷データを入稿データに基づいて生成する印刷データ生成プログラムであって、
１単位の印刷領域である単位印刷シート上における前記印刷用紙の送り方向である第１方向と直交する第２方向に関する各ページのページ配置領域を含むレイアウトを読み込むレイアウト読込みステップと、
前記レイアウト読込みステップで読み込まれたレイアウトと前記入稿データとに基づいて、前記印刷機で印刷が実行される際の前記単位印刷シート上における各ページの実際の配置位置を決定するページ配置決定ステップと、
前記ページ配置決定ステップで決定された各ページの実際の配置位置と前記入稿データとに基づいて、前記印刷機で印刷されるべき全てのページの面付けレイアウトを特定する全体面付け情報を生成する全体面付け情報生成ステップと、
前記全体面付け情報に基づいて前記入稿データにラスタライズ処理を施すことによって前記印刷データを生成するラスタライズステップと
をコンピュータのＣＰＵがメモリを利用して実行し、
前記ページ配置決定ステップでは、前記ページ配置領域の前記第２方向についての一端または他端の一方を固定端として固定しつつ前記ページ配置領域のサイズを前記入稿データに含まれる各ページの第２方向長に応じて変更して、前記単位印刷シート上における各ページの実際の配置位置を決定することを特徴とする。
【発明の効果】
【００１８】
上記第１の発明によれば、印刷が実行される際の単位印刷シート上における各ページの実際の配置位置が、レイアウトに含まれる各ページのページ配置領域を第２方向についての一端または他端を固定しつつ入稿データに含まれるページの第２方向長に応じて変更することによって得られる領域に定められる。すなわち、単位印刷シートに関するレイアウトとして同じレイアウトが用いられていれば、入稿データに含まれるページのサイズに関わらず、単位印刷シート上における実際の各ページの一端が一定の位置に配置される。従って、同じレイアウトが用いられている限り、印刷後の単位印刷シートの切断されるべき位置は一定の位置となる。そのため、本印刷データ生成装置により作成された印刷データにより印刷された印刷物は、同じレイアウトが用いられている限り、ページサイズを変更しても印刷用紙の第１方向の断裁位置（印刷用紙の送り方向と平行な方向に印刷用紙を断裁する際の断裁位置）を再調整する必要がなく、低コストでの運用が可能になる。
【００１９】
上記第２によれば、上記第１の発明と同様の効果が得られる。
【００２０】
上記第３または第４の発明によれば、単位印刷シートの余白領域が削減できるため、損紙の発生量が低減される。
【００２１】
上記第５の発明によれば、異なるページサイズのページを含む印刷物を第１方向に断裁する際の断裁機の調整作業が不要になる。
【００２２】
上記第６の発明によれば、単位印刷シートのレイアウトに関して作成済みのレイアウトの再利用が可能となるので、簡易にレイアウトを指定することができる。
【００２３】
上記第７の発明によれば、上記第１の発明と同様の効果が得られる。
【００２４】
上記第８の発明によれば、上記第１の発明と同様の効果が得られる。
【図面の簡単な説明】
【００２５】
【図１】本発明の第１の実施形態に係る印刷データ生成装置を備える印刷システムの全体構成を示すブロック図である。
【図２】上記第１の実施形態に係る印刷データ生成装置を用いた製本工程の概略を説明するためのフローチャートである。
【図３】上記第１の実施形態における印刷機（連続紙に対応した印刷装置）により印刷された印刷物の一例を示す模式図である。
【図４】上記第１の実施形態における印刷機により印刷された印刷物（Ｙ方向裁断後の印刷物）の一例を示す模式図である。
【図５】上記第１の実施形態における印刷機により印刷された印刷物（Ｙ方向裁断後の印刷物）の一例を示す模式図である。
【図６】上記第１の実施形態における印刷機により印刷された印刷物（Ｙ方向に裁断した後、更にＸ方向に裁断した後の印刷物）の一例を示す模式図である。
【図７】上記第１の実施形態における印刷機の一構成例を示す模式図である。
【図８】上記第１の実施形態における印刷データ生成装置のハードウェア構成を示すブロック図である。
【図９】上記第１の実施形態における印刷データ生成装置の機能構成を示すブロック図である。
【図１０】上記第１の実施形態において、台割り設計画面の基本設計画面の一例を示す図である。
【図１１】上記第１の実施形態において、台割り設計画面の詳細設計画面の一例を示す図である。
【図１２】上記第１の実施形態において、折りカタログ「Ｆ２−１」について説明するための図である。
【図１３】上記第１の実施形態において、単位印刷シート上における各ページの配置位置について説明するための図である。
【図１４】上記第１の実施形態において、単位印刷シート上における各ページの実際の配置位置について説明するための図である。
【図１５】上記第１の実施形態において、台割り情報を生成する工程について説明するためのフローチャートである。
【図１６】上記第１の実施形態において、単位印刷シート上における各ページの実際の配置位置について説明するための図である。
【図１７】上記第１の実施形態において、単位印刷シート上における各ページの実際の配置位置について説明するための図である。
【図１８】上記第１の実施形態において、単位印刷シート上における各ページの実際の配置位置について説明するための図である。
【図１９】上記第１の実施形態において、単位印刷シート上における各ページの実際の配置位置について説明するための図である。
【図２０】上記第１の実施形態において、全体面付け情報を模式的に示した図である。
【図２１】上記第１の実施形態における印刷データ生成処理の手順を示すフローチャートである。
【図２２】上記第１の実施形態において、Ａ６サイズの冊子のブック印刷とＡ７サイズの冊子のブック印刷とが工場内の１つのラインで行われる場合の印刷データ生成処理の手順を示すフローチャートである。
【図２３】上記第１の実施形態の第１の変形例における余白カット処理について説明するための図である。
【図２４】上記第１の実施形態の第２の変形例における余白カット処理について説明するための図である。
【図２５】本発明の第２の実施形態における印刷データ生成装置の機能構成を示すブロック図である。
【図２６】上記第２の実施形態において、Ａ６サイズの冊子のブック印刷とＡ７サイズの冊子のブック印刷とが工場内の１つのラインで行われる場合の印刷データ生成処理の手順を示すフローチャートである。
【図２７】カットアンドスタック方式を採用してブック印刷が行われたときの印刷イメージを模式的に示した図である。
【図２８】従来手法について説明するための図である。
【発明を実施するための形態】
【００２６】
以下、添付図面を参照しつつ本発明の実施形態について説明する。なお、以下の実施形態では、カットアンドスタック方式を採用したブック印刷が行われるケースを例に挙げて説明する。また、単位印刷シートやページのサイズに関し、用紙送り方向についての長さを「縦サイズ」といい、用紙幅方向についての長さを「横サイズ」という。縦サイズは第１方向長に相当し、横サイズは第２方向長に相当する。
【００２７】
＜１．第１の実施形態＞
＜１．１  印刷システムの全体構成＞
図１は、本発明の第１の実施形態に係る印刷データ生成装置１０を備える印刷システムの全体構成を示すブロック図である。この印刷システムは、印刷対象のデータの生成・保持あるいは外部から送られる印刷対象のデータの保持を行うクライアントコンピュータ７と、印刷対象のデータを入稿データとして受け取り当該入稿データに対してＲＩＰ処理（ラスタライズ処理）などのデータ処理を施すことによって印刷データを生成する印刷データ生成装置１０と、印刷データに基づきカラー印刷を実行する印刷機２０と、印刷後の印刷用紙のカット等を行う後加工機３０とによって構成されている。印刷機２０は、印刷機本体２２０とそのコントローラ２１０とによって構成されている。詳細な構成の図示は省略するが、後加工機３０は、印刷が行われた連続紙（連帳印刷物）を用紙送り方向に沿って断裁して複数枚の断裁済み連帳印刷物とする第１断裁機３１と、断裁済み連帳印刷物を用紙幅方向Ｘに沿って断裁して（ページ領域ＰＲとブリード領域ＢＲとを残し、余白領域ＳＲをカットして）複数枚の枚葉紙とする第２断裁機３２と、各枚葉紙から不要領域（ブリード領域ＢＲと余白領域ＳＲとを含む領域）を裁ち落とす裁断機３３と、不要領域が裁ち落とされた複数の枚葉紙をブック単位でまとめて綴じてブックとする綴じ機３４と、連帳印刷物を用紙送り方向Ｙに沿って折りこむ折り機３５とを含んでいる。
【００２８】
印刷機２０は、印刷機本体２２０とそのコントローラ２１０とによって構成されている。クライアントコンピュータ７と印刷データ生成装置１０と印刷機２０と後加工機３０とは、ＬＡＮなどのネットワーク３によって通信可能に接続されている。なお、本実施形態における印刷機２０はロール紙などの連続紙を用いた印刷（連帳印刷）を実行することのできる印刷装置である。なお、後加工機３０は必ずしも、クライアントコンピュータ７、印刷データ生成装置１０および印刷機２０と通信可能に接続されている必要はない。
【００２９】
＜１．２  印刷システムを用いた製本工程の概略＞
図２は、図１に示す印刷システムを用いた典型的なブック製作工程の概略を示すフローチャートである。印刷データ生成装置１０には入稿データＤｉｎが供給される。入稿データＤｉｎは複数の印刷ジョブデータＪｏｂ１、Ｊｏｂ２を含んでいる。第１の印刷ジョブデータＪｏｂ１と第２の印刷ジョブデータＪｏｂ２とは異なるページサイズのブックを製作するための印刷データである。例えば第１の印刷ジョブデータＪｏｂ１はＡ６サイズのページを印刷するためのデータであり、第２の印刷ジョブデータＪｏｂ２はＡ７サイズのページを印刷するためのデータである。印刷データ生成装置１０に入稿データＤｉｎが供給されると、印刷データ生成装置１０は、台割りテンプレートＤｔを参照しつつ、複数の印刷ジョブデータＪｏｂ１およびＪｏｂ２に基づく印刷画像を連続紙（印刷用紙）２２上に順次、配置することにより、全体面付け情報Ｄｌｙを生成する（ステップＳ１）。
【００３０】
印刷データ生成装置１０は、全体面付け情報Ｄｌｙにラスタライズを施すことにより、印刷機２０が連続紙２２に印刷ジョブデータに基づく印刷を行うためのラスターデータＤｐｒを生成するラスタライズ処理を実行する（ステップＳ２）。
【００３１】
印刷機２０は、ラスターデータＤｐｒに基づいて連続紙２２に印刷を行う（ステップＳ３）。この結果、図３に示すような連帳印刷物２３０が作成される。詳細は後述するが、連帳印刷物２３０には、第１の印刷ジョブデータＪｏｂ１に対応する第１印刷領域Ｒ１および第２の印刷ジョブデータＪｏｂ２に対応する第２印刷領域Ｒ２が用紙送り方向Ｙに配列されている。第１印刷領域Ｒ１には第１の印刷ジョブデータＪｏｂ１に基づき複数のページセルＣ１が印刷され、第２印刷領域Ｒ２には第２の印刷ジョブデータＪｏｂ２に基づき複数のページセルＣ２が印刷されている。図３において各ページセルＣ（Ｃ１およびＣ２）に付された番号「１」、「３」、「５」、「７」は、各ページセルＣの印刷頁番号を示している。印刷頁番号は実際には印刷されない。
【００３２】
図３中の拡大図に示すように、各ページセルＣは最終的な印刷物となる領域（ページ領域ＰＲ）とその周囲のブリード領域ＢＲとを含んでいる。ブリード領域ＢＲには見当合わせマーク、カットマーク、バーコード等のアクセサリ部品が形成される。ページセルＣ１のページサイズがページセルＣ２のページサイズよりも大きいのは最終的なページのページサイズが後者よりも前者の方が大きいためである。すなわち、ページセルＣ１からはＡ６サイズのページが作製され、ページセルＣ２からはＡ７サイズのページが作製される。
【００３３】
ここで、各ページセルＣ１に含まれるページ領域ＰＲと各ページセルＣ２に含まれるページ領域ＰＲとは用紙幅方向Ｘについて同じ側の端辺（左辺）が一致するように配置されている。
【００３４】
図２のステップＳ３の終了後、第１断裁機３１は、連帳印刷物２３０を図３に示す縦断裁線Ｌ１、Ｌ２およびＬ３に沿って用紙送り方向Ｙに断裁する（ステップＳ４）。図３中の拡大図に示すように、縦断裁線Ｌ（Ｌ１、Ｌ２、Ｌ３）の位置は、ページセルＣ上のページ領域ＰＲの左辺に沿った位置である。ステップＳ４の処理によって、連帳印刷物２３０は用紙送り方向Ｙに長尺な縦断裁済み連帳印刷物２４０ａ、２４０ｂ、および２４０ｃに断裁される（図４参照）。縦断裁線Ｌ１、Ｌ２およびＬ３は、いずれもページ領域ＰＲの用紙送り方向Ｙに沿った辺であればよく、ページ領域ＰＲの左辺および右辺のいずれであってもよい。
【００３５】
第２断裁機３２は、縦断裁済み連帳印刷物２４０を用紙幅方向Ｘに断裁して複数枚の枚葉紙Ｓ（Ｓ１、Ｓ２）を形成する（ステップＳ５）。すなわち、第２断裁機３２は、縦断裁済み連帳印刷物２４０ａ、２４０ｂおよび２４０ｃ（図５には縦断裁済み連帳印刷物２４０ａのみを図示）を第１印刷領域Ｒ１においてページセルＣ１の上辺および下辺に沿う横断裁線Ｌ１１およびＬ１２で切断することにより、１つのページセルＣ１毎に枚葉紙Ｓ１を形成する（図５参照）。１枚の枚葉紙Ｓ１は、１つページセルＣ１とその用紙幅方向Ｘの右側に隣接する余白領域ＳＲとを含んでいる（図５中の拡大図を参照）。同様に、第２断裁機３２は、縦断裁済み連帳印刷物２４０ａ、２４０ｂおよび２４０ｃを第２印刷領域Ｒ２においてページセルＣ２の上辺および下辺に沿う横断裁線Ｌ２１およびＬ２２で切断することにより、１つのページセルＣ２毎に枚葉紙Ｓ２を形成する。１枚の枚葉紙Ｓ２は、１つのページセルＣ２とその用紙幅方向Ｘの右側に隣接する余白領域ＳＲとを含んでいる。
【００３６】
裁断機３３は、各枚葉紙Ｓからブリード領域ＢＲと余白領域ＳＲとを含む不要領域を裁ち落としてページ領域ＰＲからなる枚葉紙Ｔ（Ｔ１、Ｔ２）を作成する（ステップＳ６）（図６参照）。
【００３７】
最後に、綴じ機３４が、複数の枚葉紙Ｔ１をブック単位でまとめて綴じてブックとし、複数の枚葉紙Ｔ２をブック単位でまとめて綴じてブックとする（ステップＳ７）。なお、図２に示す製本フローはあくまで一例である。例えば、裁断機３３により不要領域を裁断する裁断工程（ステップＳ６）を行う前に綴じ機３４による処理を実行し、その後、裁断機３３により不要領域を裁断しても良い。同様に、裁断機３３により不要領域を裁断する裁断工程（ステップＳ６）を行う前に、折り機３５により連帳印刷物を用紙送り方向Ｙに折り込む折り工程を追加実行してもよい。
【００３８】
図７は、本実施形態における印刷機（インクジェット印刷装置）２０の一構成例を示す模式図である。上述したように、この印刷機２０は、印刷機本体２２０とコントローラ２１０とによって構成されている。
【００３９】
印刷機本体２２０は、基材である印刷用紙（例えばロール紙）２２を供給する用紙送出部２１と、印刷用紙２２を印刷機構内部へと搬送するための第１の駆動ローラ２３と、印刷機構内部で印刷用紙２２を搬送するための複数個の支持ローラ２４と、印刷用紙２２の表面にインクを吐出して印刷を行う印字部２５と、印刷後の印刷用紙２２を乾燥させる乾燥部２６と、印刷用紙２２への印刷の状態を検査する検査部２７と、印刷用紙２２を印刷機構内部から出力するための第２の駆動ローラ２８と、印刷後の印刷用紙２２を巻き取る用紙巻取部２９とを備えている。このように第１の駆動ローラ２３と第２の駆動ローラ２８とにより印刷用紙２２は用紙送出部２１から用紙巻取部２９に向けて一定の搬送方向で搬送される。印字部２５には、Ｃ（シアン），Ｍ（マゼンタ），Ｙ（イエロー），およびＫ（ブラック）のインクをそれぞれ吐出するＣ用インクジェットヘッド２５ｃ，Ｍ用インクジェットヘッド２５ｍ，Ｙ用インクジェットヘッド２５ｙ，およびＫ用インクジェットヘッド２５ｋが含まれている。
【００４０】
なお、印刷用紙２２の両面に印刷を行う場合は、図７に示した印刷機構を公知の反転ユニットを介して２機連結する。この場合、第１の印刷機構が印刷用紙２２の表面に印刷を行い、反転ユニットにより印刷用紙２２の表裏を反転した後、第２の印刷機構が印刷用紙２２の裏面に印刷を行う。
【００４１】
コントローラ２１０は、以上のような構成の印刷機本体２２０の動作を制御する。コントローラ２１０に印刷出力の指示コマンドが与えられると、コントローラ２１０は、印刷用紙２２が用紙送出部２１から用紙巻取部２９へと搬送されるよう、印刷機本体２２０の動作を制御する。そして、印刷用紙２２の搬送過程において、まず印字部２５内の各インクジェットヘッド２５ｃ，２５ｍ，２５ｙ，および２５ｋからのインクの吐出による印字が行われ、次に乾燥部２６によって印刷用紙２２の乾燥が行われ、最後に検査部２７によって印刷状態の検査が行われる。
【００４２】
なお、ここではカラー印刷を行う印刷機２０を例示したが、モノクロ印刷を行う印刷機が採用されている場合にも本発明を適用することができる。また、印字色はＣＭＹＫの４色に限定されず、グリーンおよびオレンジ等の特色を含んでいても良い。また印刷方式はインクジェット方式に限定されず、トナー方式、液体トナー方式などの印刷方式を採用することもできる。
【００４３】
＜１．３  印刷データ生成装置の構成＞
＜１．３．１  ハードウェア構成＞
図８は、印刷データ生成装置１０のハードウェア構成を示すブロック図である。図８に示すように、印刷データ生成装置１０は、本体１１、補助記憶装置１２、光ディスクドライブ１３、表示部１４、キーボード１５、およびマウス１６などを備えている。本体１１は、ＣＰＵ１１１、メモリ１１２、第１ディスクインタフェース部１１３、第２ディスクインタフェース部１１４、表示制御部１１５、入力インタフェース部１１６、およびネットワークインタフェース部１１７を含んでいる。ＣＰＵ１１１、メモリ１１２、第１ディスクインタフェース部１１３、第２ディスクインタフェース部１１４、表示制御部１１５、入力インタフェース部１１６、およびネットワークインタフェース部１１７は、システムバスを介して互いに接続されている。第１ディスクインタフェース部１１３には補助記憶装置１２が接続されている。第２ディスクインタフェース部１１４には光ディスクドライブ１３が接続されている。表示制御部１１５には、表示部（表示装置）１４が接続されている。入力インタフェース部１１６には、キーボード１５およびマウス１６が接続されている。ネットワークインタフェース部１１７にはネットワーク３が接続されている。補助記憶装置１２は磁気ディスク装置などである。光ディスクドライブ１３には、ＤＶＤ（Digital Versatile Disc）またはＣＤ−ＲＯＭ（Compact Disc Read Only Memory）等のコンピュータ読み取り可能な記録媒体としての光ディスク１７が挿入される。表示部１４は液晶ディスプレイなどである。表示部１４は、作業者が所望する情報を表示するために使用される。キーボード１５およびマウス１６は、この印刷データ生成装置１０に対して作業者が指示を入力するために使用される。
【００４４】
補助記憶装置１２には、入稿データから印刷データを生成する処理（印刷データ生成処理）を実行するための印刷データ生成プログラム１８が格納されている。ＣＰＵ１１１は、補助記憶装置１２に格納された印刷データ生成プログラム１８をメモリ１１２に読み出して実行することにより、印刷データ生成装置１０の各種機能を実現する。メモリ１１２は、ＲＡＭ（Random Access Memory）およびＲＯＭ（Read Only Memory）を含んでいる。メモリ１１２は、補助記憶装置１２に格納された印刷データ生成プログラム１８をＣＰＵ１１１が実行するためのワークエリアとして機能する。なお、印刷データ生成プログラム１８は、上記ＤＶＤ等のコンピュータ読み取り可能な記録媒体（非一過性の記録媒体）に格納されて提供される。すなわち、ユーザは、例えば、印刷データ生成プログラム１８の記録媒体としての光ディスク１７を購入して光ディスクドライブ１３に挿入し、光ディスク１７から印刷データ生成プログラム１８を読み出して補助記憶装置１２にインストールする。また、これに代えて、ネットワーク３を介して送信される印刷データ生成プログラム１８をネットワークインタフェース部１１７で受信して、それを補助記憶装置１２にインストールするようにしてもよい。
【００４５】
＜１．３．２  機能構成＞
図９は、本実施形態における印刷データ生成装置１０の機能構成を示すブロック図である。図９に示すように、印刷データ生成装置１０は、機能的には、台割りテンプレート生成部４１と台割りテンプレート保持部４２と印刷ジョブデータ生成部４３と印刷ジョブデータ保持部４４と全体面付け情報生成部４５とラスタライズ処理部４６とを備えている。
【００４６】
台割りテンプレート生成部４１は、上述した台割りの設計を行うための操作画面である台割り設計画面を表示部１４に表示し、作業者による台割り設計画面での操作（すなわち設計内容）に基づいて台割りテンプレートＤｔを生成する。本実施形態においては、台割り設計画面は、図１０に示すような基本設計画面５と図１１に示すような詳細設計画面６とによって構成されている。基本設計画面５と詳細設計画面６とは、例えば、画面の端部に設けられたタブ（図１０および図１１では不図示）を選択することによって切り替えられる。なお、基本設計画面５に表示される単位印刷シートＰのシートサイズについては予め別の画面で指定されるものと仮定する。
【００４７】
基本設計画面５には、図１０に示すように、ページサイズを選択するためのドロップダウンリスト５１と、ページの向きを選択するためのドロップダウンリスト５２と、各種の詳細な設定を行うためのページ設定ボタン５３と、折りカタログを選択するためのドロップダウンリスト５４と、単位印刷シートＰの表面のレイアウトを示す表面レイアウト表示領域５６と、単位印刷シートの裏面のレイアウトを示す裏面レイアウト表示領域５７と、設定内容を確定するためのＯＫボタン５８と、設定内容をキャンセルするためのＣＡＮＣＥＬボタン５９とが含まれている。表面レイアウト表示領域５６には、単位印刷シートＰの表面における複数のページ領域ＰＲ（図３、図５および図６を参照）の配置位置を示すページ配置領域１００ａ〜１００ｃが含まれ、裏面レイアウト表示領域５７には、単位印刷シートＰの裏面における複数のページ領域ＰＲの配置位置を示すページ配置領域１００ｄ〜１００ｆが含まれている。なお、折りカタログとは、印刷後に折り加工を行う際の折り方のパターンを定義したものである。ドロップダウンリスト５４からはプリプレス・プレス・ポストプレスの工程統合管理のための国際標準化団体であるＣＩＰ４が定めた基準に準拠した折りカタログを選択することが可能となっている。
【００４８】
台割りテンプレートＤｔを新規に作成するために基本設計画面５が表示された直後には、ページサイズおよびページの向きは選択されてない状態となっており（但し、デフォルト設定がされていても良い）、かつ、表面レイアウト表示領域５６および裏面レイアウト表示領域５７の単位印刷シートＰ内にはページが全く配置されていない状態となっている。基本設計画面５および詳細設計画面６において、単位印刷シートＰは、用紙送り方向Ｙが縦、用紙幅方向Ｘが横になる状態で表示されている。この状態において、作業者は、ドロップダウンリスト５１からページサイズを選択し、ドロップダウンリスト５２からページの向きを選択する。なお、ドロップダウンリスト５１から選択可能な各ページサイズの情報は、縦サイズの情報と横サイズの情報とからなる。例えば、ページの向きが縦の場合、ページサイズがＡ６であるという情報には、縦サイズが１４８ｍｍであるという情報と横サイズが１０５ｍｍであるという情報とが含まれている。作業者は、ドロップダウンリスト５１から選択することのできるページサイズ以外のページサイズを指定したい場合には、ページ設定ボタン５３を押下してページサイズとして縦サイズおよび横サイズを指定することができる。ここで選択されるページサイズは単位印刷シートＰのシートサイズと単位印刷シートＰに割り付けるページの数とに基づいて１ページ分の領域として割り当てることを許容する最大の領域を表すサイズであることが望ましいが必ずしもこれに限られるわけではない。以上のようにして基本設計画面５でページサイズが指定されることにより、単位印刷シートＰに配置されるページの縦サイズおよび横サイズの最大値が定まる。
【００４９】
ページサイズおよびページの向きの選択後、作業者は、ドロップダウンリスト５４から折りカタログを１つ選択し、ドロップダウンリスト５４の領域から表面レイアウト表示領域５６へのドラッグ・アンド・ドロップの操作を行う。本実施形態のようにカットアンドスタック方式を採用したブック印刷が行われる場合には、「Ｆ２−１」という名称の折りカタログが選択される。折りカタログ「Ｆ２−１」のパターンは、図１２に示すように定義されている。このパターンによれば、表面に１ページ目が配置され、当該用紙の裏面に２ページ目が配置される。作業者は、単位印刷シートＰに配置したいページの数だけ上述したドラッグ・アンド・ドロップの操作を繰り返す。例えば、折りカタログ「Ｆ２−１」が選択された状態でドラッグ・アンド・ドロップの操作が３回行われると、基本設計画面５は、図１０に示すように、表面レイアウト表示領域５６の単位印刷シートＰ内に３つのページ配置領域１００ａ〜１００ｃが配置されるとともに裏面レイアウト表示領域５７の単位印刷シートＰ内に３つのページ配置領域１００ｄ〜１００ｆが配置された状態となる。
【００５０】
なお、本実施形態においては単位印刷シートＰ内に配置される全てのページについて共通のページサイズの指定が行われるが、基本設計画面５において列毎に異なるページサイズを指定できるようになっていてもよい。例えば、複数のページ配置領域１００ａ〜１００ｃについて指定するページサイズは必ずしも共通のサイズである必要はない。但し、この場合、後述する余白カット処理を、実際の印刷の際に単位印刷シートＰに配置されるページのうちの最大のページサイズのものを基準にして行う必要がある。
【００５１】
詳細設計画面６には、図１１に示すように、単位印刷シートＰの幅（横サイズ）を指定するためのテキストボックス６１と、単位印刷シートＰの高さ（縦サイズ）を指定するためのテキストボックス６２と、ページ配置領域１００ａ〜１００ｆの上下左右に設けられるブリード配置領域（塗り足し領域）１０１ａ〜１０１ｆのサイズを指定するためのテキストボックス６３Ｕ、６３Ｄ、６３Ｌ、および６３Ｒと、所定の基準位置（本実施形態においては、当該基準位置は単位印刷シートＰの左下座標であるものとする）から各ページ配置領域１００ａ〜１００ｃまでの距離を特定する「Ｘ方向およびＹ方向のオフセット」を指定するためのテキストボックス６４Ｘおよび６４Ｙと、ページサイズを変更する際の固定位置を選択するためのドロップダウンリスト６５と、単位印刷シートＰの表面のレイアウトを示す表面レイアウト表示領域６６と、単位印刷シートＰの裏面のレイアウトを示す裏面レイアウト表示領域６７と、領域設定内容を確定するためのＯＫボタン６８と、設定内容をキャンセルするためのＣＡＮＣＥＬボタン６９とが含まれている。表面レイアウト表示領域６６には、ページ配置領域１００ａ〜１００ｃとブリード配置領域１０１ａ〜１０１ｃとページセル配置領域１０２ａ〜１０２ｃとが含まれ、裏面レイアウト表示領域６７には、ページ配置領域１００ｄ〜１００ｆとブリード配置領域１０１ｄ〜１０１ｆとページセル配置領域１０２ｄ〜１０２ｆとが含まれている。なお、固定位置についての詳しい説明は後述する。
【００５２】
台割りテンプレートＤｔを新規に作成するために詳細設計画面６が表示された直後（基本設計画面５から詳細設計画面６に遷移した直後）には、シートサイズは予め指定されたサイズとなっており、ブリード配置領域１０１ａ〜１０１ｆのサイズおよびオフセットは指定されていない状態となっており（但し、デフォルト設定がされていても良い）、固定位置は選択されていない状態となっている（但し、デフォルトとして例えば全てのページについて固定位置が「左」に設定されていても良い）。表面レイアウト表示領域６６の表示状態は直前の表面レイアウト表示領域５６の表示状態と同じになっており、裏面レイアウト表示領域６７の表示状態は直前の裏面レイアウト表示領域５７の表示状態と同じになっている。この状態において、作業者は、必要に応じてブリードサイズの指定（テキストボックス６３Ｕ、６３Ｄ、６３Ｌ、および６３Ｒへの値の入力）、オフセットの指定（テキストボックス６４Ｘおよび６４Ｙへの値の入力）、およびドロップダウンリスト６５からの固定位置の選択を行う。
【００５３】
ここで、図１３を参照しつつ、単位印刷シートＰ上における各ページの配置位置について説明する。まず、単位印刷シートＰ上に配置されるページのうち図１３で最も左側に配置されるページの左下座標Ｃ０１が、詳細設計画面６のテキストボックス６４Ｘおよび６４Ｙで指定されたオフセットに基づいて定められる。図１１に示す例の場合、上記左下座標Ｃ０１は、基準位置（単位印刷シートＰの左下座標）Ｃ０から用紙幅方向Ｘに６０ｍｍかつ用紙送り方向Ｙに２０ｍｍだけ離れた位置の座標である。次に、単位印刷シートＰの幅（詳細設計画面６のテキストボックス６１の値）と上記左下座標Ｃ０１と単位印刷シートＰに配置されるページの数とに基づいて、適宜の間隔でページが配置されるよう、図１３で最も左側に配置されるページ以外のページの左下座標Ｃ０２，Ｃ０３が定められる。そして、詳細設計画面６のテキストボックス６３Ｕ、６３Ｄ、６３Ｌ、および６３Ｒで指定された値の幅のブリード配置領域１０１ａ〜１０１ｃが図１３に示すように各ページ配置領域１００ａ〜１００ｃの周囲に設けられる。以上により、ページ配置領域１００ａ〜１００ｃの周囲にブリード配置領域１０１ａ〜１０１ｃが付加される。これにより、単位印刷シートＰの表面におけるページセルＣ（図３、図５および図６を参照）の配置位置を示すページセル配置領域１０２ａ〜１０２ｃの位置が確定する。図示は省略するが、同様に、単位印刷シートＰの裏面におけるページセルＣの配置位置を示すページセル配置領域１０２ｄ〜１０２ｆの位置が確定する。
【００５４】
なお、単位印刷シートＰの中央に配置されるページ配置領域１００ｂの左下座標Ｃ０２および図１３で最も右側に配置されるページ配置領域１００ｃの左下座標Ｃ０３もテキストボックス６４Ｘおよび６４Ｙから入力されるようにしてもよい。また、ブリード配置領域１０１ｂおよび１０１ｃの幅の値がテキストボックス６３Ｕ，６３Ｄ、６３Ｌ、および６３Ｒによって指定されるようにしてもよい。
【００５５】
基本設計画面５のＯＫボタン５８もしくは詳細設計画面６のＯＫボタン６８が押下されると、台割り設計画面（基本設計画面５、詳細設計画面６）での設定内容に基づく台割りテンプレートＤｔが生成され、当該台割りテンプレートＤｔは台割りテンプレート保持部４２に格納される。すなわち、台割りテンプレート保持部４２は、台割りテンプレート生成部４１によって生成された台割りテンプレートＤｔを保持する。
【００５６】
印刷ジョブデータ生成部４３は、入稿データＤｉｎと当該入稿データＤｉｎに対応する台割りテンプレートＤｔと部数（入稿データＤｉｎの印刷部数）の情報Ｄｃとを取得し、これらに基づいて、１つの印刷ジョブの実行に必要な一群のデータである印刷ジョブデータＤｊを生成する。印刷ジョブデータＤｊは、入稿データＤｉｎと、部数の情報Ｄｃを含む各種情報と、印刷機２０で印刷が実行される際の単位印刷シートＰ上における各ページの実際の配置位置を特定する台割り情報とによって構成される。
【００５７】
ところで、本実施形態に係る印刷システムでは、従来とは異なり、ページサイズ毎に台割りテンプレートＤｔを用意することは想定されていない。或る１つのシートサイズの単位印刷シートＰに着目すると、典型的には、当該単位印刷シートＰに配置されるページの数（かず）別に台割りテンプレートＤｔが用意される。従って、例えば、ページサイズをＡ６に指定して作成された台割りテンプレートＤｔを用いてページサイズがＡ７である入稿データＤｉｎに基づく印刷ジョブデータＤｊの生成が行われることがある。このような場合、入稿データＤｉｎにラスタライズ処理を施して印刷データＤｐｒを生成するためには、台割りテンプレートＤｔに定められている各ページセル配置領域１０２のどの部分に入稿データＤｉｎに含まれる複数のページを配置すべきであるのかを特定した情報、換言すれば、単位印刷シートＰ上に実際のページセル配置領域１０２をどのように配置するのかを特定した情報が必要となる。この情報が、上述した台割り情報である。すなわち、印刷ジョブデータ生成部４３は、入稿データＤｉｎと当該入稿データＤｉｎに対応する台割りテンプレートＤｔを取得し、これらに基づいて、印刷機２０で印刷が実行される際の単位印刷シートＰ上における各ページの実際の配置位置を決定し、その配置位置の情報を台割り情報として生成する。
【００５８】
ここで、入稿データＤｉｎに含まれる各ページのページサイズと台割りテンプレートＤｔで指定されているページ配置領域１００のページサイズとが異なる場合に単位印刷シートＰ上における各ページセルＣの実際の配置位置がどのように決定されるのかを、図９（ブロック図）、図１４（過程図）、および図１５（フローチャート）を参照しつつ説明する。なお、ここでは、入稿データＤｉｎに含まれる各ページのページサイズがＡ７であって台割りテンプレートＤｔで指定されているページサイズがＡ６であると仮定する。
【００５９】
図１４は、入稿データＤｉｎに含まれる各ページのページデータを単位印刷シートＰに割り付ける割付作業を３つの段階に分けて説明する過程図である。図１４（ａ）は、単位印刷シートＰの表面（おもてめん）に関して、台割りテンプレートＤｔが指定するページセル配置領域１０２ａ〜１０２ｃのレイアウトを模式的に示している。図１４（ｂ）は、図１４（ａ）に示すレイアウトからページセル配置領域１０２ａ〜１０２ｃのサイズを変更してページセル配置領域１０２ａ１〜１０２ｃ１とした後のレイアウトを模式的に示している。図１４（ａ）に示すレイアウトから図１４（ｂ）に示すレイアウトへの変更を以下「サイズ変更１」という。図１４（ｃ）は、図１４（ｂ）に示すレイアウトから単位印刷シートＰ１のサイズを変更して単位印刷シートＰ２とした後のレイアウトを模式的に示している。図１４（ｂ）に示すレイアウトから図１４（ｃ）に示すレイアウトへの変更を以下「サイズ変更２」という。
【００６０】
図１４（ａ）は、台割りテンプレートＤｔで指定されているレイアウトを模式的に示している。上述のように、単位印刷シートＰ上にはページセル配置領域１０２ａ〜１０２ｃが配置され、各ページセル配置領域１０２ａ〜１０２ｃは、ページ配置領域１００ａ〜１００ｃと、ブリード配置領域１０１ａ〜１０１ｃとを含む。台割りテンプレートＤｔで指定されている単位印刷シートＰの縦サイズはｙ０であるとする。また、テンプレート設計の過程で固定位置については「左」が指定されているものとする。
【００６１】
このような台割りテンプレートＤｔが台割りテンプレート保持部４２（図９参照）に保持された状態で、印刷ジョブデータ生成部４３が入稿データＤｉｎを受領する。また、印刷ジョブデータ生成部４３は、受領した入稿データＤｉｎに対応する台割りテンプレートＤｔを台割りテンプレート保持部４２から読み込む（図１５のステップＳ１０）。
【００６２】
印刷ジョブデータ生成部４３は、入稿データＤｉｎに含まれる各ページのページサイズを当該入稿データＤｉｎから抽出し、それを台割りテンプレートＤｔにおける各ページ配置領域１００ａ〜１００ｃのページサイズと比較する（ステップＳ２０）。これらのサイズが同一の場合には、処理はステップＳ８０に進み、当初の台割りテンプレートＤｔに従った台割り情報が生成される（ページ配置領域のサイズの変更等が施されることなく台割り情報が生成される）。一方、これらのサイズが一致しない場合には、ページ配置領域１００ａ〜１００ｃのサイズを変更するために、処理はステップＳ３０に進む。本例では、台割りテンプレートＤｔにおけるページ配置領域１００ａ〜１００ｃのページサイズはＡ６サイズであり、入稿データＤｉｎに含まれる各ページのページサイズはＡ７サイズであるので、ステップＳ２０で「Ｙｅｓ」と判断され、処理はステップＳ３０に進む。
【００６３】
印刷ジョブデータ生成部４３は、台割りテンプレート保持部４２から「固定位置情報」（詳細設計画面６のドロップダウンリスト６５で設定された情報）を読み出し（ステップＳ３０）、次に、「ブリード情報」を読み出す（ステップＳ４０）。「ブリード情報」は、図１１に示した詳細設計画面６のテキストボックス６３Ｕ、６３Ｄ、６３Ｌおよび６３Ｒで指定されたブリード配置領域１０１ａ〜１０１ｃの幅の値を含む。
【００６４】
印刷ジョブデータ生成部４３は、入稿データＤｉｎに含まれる各ページのページサイズと、固定位置情報と、ブリード情報とから、図１４（ｂ）に示すように、ページセル配置領域１０２ａ１〜１０２ｃ１のサイズと配置位置とを決定する（ステップＳ５０）。ここではページサイズがＡ６サイズからＡ７サイズに変更されたので、当初のページ配置領域１００ａ〜１００ｃの大きさをそれぞれＡ６サイズからＡ７サイズに変更する。また、固定位置情報より固定位置は「左」に設定されているため、当初のページ配置領域１００ａ〜１００ｃの左辺位置ＳＬａ〜ＳＬｃを固定端として固定しつつ、サイズ変更前後の左辺が一致するように、かつ、当初のページ配置領域１００ａ〜１００ｃの下辺ＤＬにサイズ変更後の下辺ＤＬが一致するように、入稿データＤｉｎに対応する各ページのページ配置領域１００ａ１〜１００ｃ１を単位印刷シートＰ１上に配置する。
【００６５】
次に、ブリード情報に基づいて、これらのページ配置領域１００ａ１〜１００ｃ１の周囲にブリード配置領域１０１ａ１〜１０１ｃ１を配置する。
【００６６】
これによって、図１４（ｂ）に示すように、単位印刷シートＰ１上におけるページセル配置領域１０２ａ１〜１０２ｃ１の配置位置が決定する。
【００６７】
次に、処理はステップＳ６０に進む。図１４（ａ）に示すレイアウトから図１４（ｂ）に示すレイアウトへの「サイズ変更１」の実行によって、ページセル配置領域１０２ａ１〜１０２ｃ１の上辺と単位印刷シートＰ１との上辺との間に比較的大きな幅の余白領域ＳＲａ１〜ＳＲｃ１が発生する。
【００６８】
ステップＳ６０では、余白領域ＳＲａ１〜ＳＲｃ１の幅サイズの大きさに応じて図１４（ｂ）に示すレイアウトから図１４（ｃ）に示すレイアウトへの「サイズ変更２」を実行するか否かを判断する。例えば、余白領域ＳＲａ１〜ＳＲｃ１の幅サイズが所定の閾値以上の場合にはステップＳ６０で「Ｙｅｓ」と判断されて処理はステップＳ７０に進み、当該幅サイズが所定の閾値未満の場合にはステップＳ６０で「Ｎｏ」と判断されて処理はステップＳ８０に進む。
【００６９】
ステップＳ７０ではページセル配置領域１０２ａ１〜１０２ｃ１のサイズおよび位置を維持した状態で、単位印刷シートＰ１の縦サイズを「ｙ１」から「ｙ２」に縮小する。これにより、図１４（ｃ）に示すレイアウトが完成し、この情報を台割り情報として確定する。ステップＳ７０の処理を実行した後の単位印刷シートＰ２の上辺の位置は、複数のページセル配置領域１０２ａ２〜１０２ｃ２の中で最も上方に位置するものを基準に設定される。例えば、単位印刷シートＰ２の上辺を複数のページセル配置領域１０２ａ２〜１０２ｃ２の上辺の中で最も上方に位置するものと一致させる。あるいは、単位印刷シートＰ２の上辺を、複数のページセル配置領域１０２ａ２〜１０２ｃ２の上辺の中で最も上方に位置するものから微小距離上方に位置させてもよい。このようにしてブリード配置領域１０１ａ１〜１０１ｃ１以外の領域の全部または一部が削除されて単位印刷シートＰの縦サイズが短くされる。
【００７０】
このように本実施形態では、単位印刷シートＰの縦サイズを適宜縮小することが可能であるので、裁断機３３による不要領域の裁断幅を削減することが可能になる（図２のステップＳ６および図６を参照）。これにより、損紙の発生を抑制することができる。
【００７１】
図１６は、複数の異なるページサイズのページを含む入稿データＤｉｎが与えられた場合の過程図である。本例では右列と左列はＡ７サイズのページデータが与えられ、中央列はＡ６サイズのページデータが与えられる。本例では、図１６（ａ）に示すレイアウトから図１６（ｂ）に示すレイアウトへの「サイズ変更１」により、右列と左列のページセル配置領域１０２ａおよび１０２ｃは縮小するが、中央列のページセル配置領域１０２ｂは縮小しない。図１６（ｂ）に示すレイアウトから図１６（ｃ）に示すレイアウトへの「サイズ変更２」では「サイズ変更１」後の複数のページセル配置領域１０２ａ１〜１０２ｃ１の上辺の中で最も上方に位置するもの（すなわち、ページセル配置領域１０２ｂ１の上辺）を基準にして、単位印刷シートＰ１の縦サイズがｙ１からｙ２に変更される。
【００７２】
上述のように、本例では、各列毎に個別にページセル配置領域１０２のサイズ変更量を決定する。このため、各列毎に異なるページサイズのページを並列して印刷することが可能である。
【００７３】
さらに、「サイズ変更１」はページセル配置領域１０２のサイズの縮小に限定されない。台割りテンプレートＤｔにおける単位印刷シートＰの上辺と各ページセル配置領域１０２の上辺との間の余白領域ＳＲの大きさおよび隣接するページセル配置領域１０２のＸ方向の間隔の大きさの範囲内で、「サイズ変更１」によってページセル配置領域１０２のサイズを拡大することも可能である。図１７に示す例では、中央列にＡ６サイズよりもサイズが大きい変形Ａ６サイズのジョブが指定されており、これに伴って、中央列では、図１７（ａ）に示すレイアウトから図１７（ｂ）に示すレイアウトへの「サイズ変更１」によって、Ａ６サイズに対応するページ配置領域１００ｂのサイズが変形Ａ６サイズに対応するページ配置領域１００ｂ１のサイズに拡大し、同時にページセル配置領域１０２ｂのサイズがページセル配置領域１０２ｂ１のサイズに拡大している。
【００７４】
図１８は、固定位置が「右」に設定されているケースにおける過程図である。図１８（ａ）および（ｂ）に示すように、当初のページ配置領域１００ａ〜１００ｃのサイズをそれぞれＡ６サイズからＡ７サイズに縮小する。また、当初のページ配置領域１００ａ〜１００ｃの右辺位置ＳＬａ〜ＳＬｃにサイズ変更後の右辺の位置が一致するように、かつ、当初のページ配置領域１００ａ〜１００ｃの下辺ＤＬにサイズ変更後の下辺ＤＬが一致するように、入稿データＤｉｎに対応する各ページのページ配置領域１００ａ１〜１００ｃ１を単位印刷シートＰ１上に配置する。さらに、図１８（ｃ）に示すように、「サイズ変更２」を行い、単位印刷シートＰの縦サイズを当初のｙ０からｙ２に縮小する。
【００７５】
また、図１９（ａ）および（ｂ）に示すように、「サイズ変更１」では、ページ配置領域１００ａ〜１００ｃの上辺ＵＬを基準にページ配置領域１００ａ〜１００ｃのサイズを変更してもよい。また、図１９（ｂ）および（ｃ）に示すように、「サイズ変更２」では、ページセル配置領域１０２ａ１〜１０２ｃ１の下辺側の余白領域ＳＲａ１〜ＳＲａ３が削除されるように、単位印刷シートＰの用紙送り方向Ｙにおけるサイズを変更してもよい。
【００７６】
このように、「サイズ変更２」では「サイズ変更１」で基準としたページ配置領域１００の一辺（上辺ＵＬ）とは用紙送り方向Ｙについて反対側の余白領域ＳＲａ１〜ＳＲｃ１を削除することができる。
【００７７】
印刷ジョブデータ保持部４４は、印刷ジョブデータ生成部４３によって生成された印刷ジョブデータＤｊを保持する。全体面付け情報生成部４５は、印刷ジョブデータＤｊに含まれる入稿データＤｉｎと部数の情報Ｄｃと台割り情報（各ページの配置位置の情報）とに基づいて、該当の印刷ジョブの実行によって印刷機２０で印刷されるべき全てのページの面付けレイアウトを示す全体面付け情報Ｄｌｙを生成する。全体面付け情報Ｄｌｙは、模式的には図２０に示すような、それによって印刷用紙上における全ページの配置位置を把握することのできる情報である。なお、図２０には、入稿データが６ページのデータであって印刷部数が１２部である場合の例を示している。
【００７８】
ラスタライズ処理部４６は、全体面付け情報生成部４５によって生成された全体面付け情報Ｄｌｙに基づいて印刷ジョブデータＤｊに含まれる入稿データＤｉｎにラスタライズ処理を施すことにより、印刷対象を表すビットマップ形式のデータである印刷データＤｐｒを生成する。この印刷データＤｐｒが印刷機２０に送られることにより、印刷機２０において印刷データＤｐｒに基づく印刷出力が実行される。なお、印刷データＤｐｒについては、印刷機２０に送られる前に必要に応じてデータ形式の変換が施される。
【００７９】
本実施形態においては、印刷ジョブデータ生成部４３によって、レイアウト取得部、ページ配置決定部および単位印刷シート縮小部が実現されている。
【００８０】
＜１．４  処理手順＞
次に、印刷データ生成処理の手順について説明する。図２１は、本実施形態における印刷データ生成処理の手順を示すフローチャートである。本実施形態においては、まず、作業者による台割り設計画面（基本設計画面５、詳細設計画面６）を用いた台割りの設計が行われる（ステップＳ１００）。なお、このステップＳ１００の処理は、印刷データＤｐｒを生成する際に毎回行う必要があるわけではない。入稿データＤｉｎのページサイズに対応する台割りテンプレートＤｔが既に存在している場合には、このステップＳ１００の処理は不要である。
【００８１】
次に、印刷対象の入稿データＤｉｎに応じて第１断裁機３１の位置調整が行われる（ステップＳ１１０）。このステップＳ１１０では、印刷対象の入稿データＤｉｎに対応する台割りテンプレートＤｔを用いてテスト用の印刷ジョブデータが生成され、当該テスト用の印刷ジョブデータに基づく印刷出力が行われる。そして、その印刷出力の結果物である印刷済みの印刷用紙を用いて、第１断裁機３１の位置調整（具体的には、印刷用紙を縦方向に断裁するカッターの刃の位置の調整）が行われる。なお、第１断裁機３１の位置調整に印刷済みの印刷用紙が用いられる理由は、印刷用紙上の実際の印刷位置を確認しつつカッターの刃の位置を正確に調整する必要があるためである。
【００８２】
次に、印刷対象のデータの入稿が行われる（ステップＳ１２０）。詳しくは、例えばクライアントコンピュータ７に保持されている印刷対象のデータが入稿データＤｉｎとして印刷データ生成装置１０に与えられる。その際、部数（入稿データＤｉｎの印刷部数）の情報Ｄｃも与えられる。なお、入稿データＤｉｎは、例えばＰＤＦ（Portable Document Format）形式のデータである。
【００８３】
次に、入稿データＤｉｎに基づく印刷ジョブの実行に必要な印刷ジョブデータＤｊが生成される（ステップＳ１３０）。印刷ジョブデータＤｊは、ステップＳ１２０で印刷データ生成装置１０に与えられた入稿データＤｉｎおよび部数の情報Ｄｃと、ステップＳ１００で生成され入稿データＤｉｎに対応する台割りテンプレートＤｔとに基づいて生成される。
【００８４】
次に、印刷機２０で印刷されるべき全ページの面付けレイアウトを示す全体面付け情報Ｄｌｙが生成される（ステップＳ１４０）。全体面付け情報Ｄｌｙは、ステップＳ１３０で生成された印刷ジョブデータＤｊに基づいて（詳しくは、ステップＳ１２０で印刷データ生成装置１０に与えられた入稿データＤｉｎおよび部数の情報Ｄｃと、ステップＳ１３０で生成された台割り情報とに基づいて）生成される。
【００８５】
次に、ステップＳ１４０で生成された全体面付け情報Ｄｌｙに基づいて入稿データＤｉｎにラスタライズ処理（ＲＩＰ処理）が施される（ステップＳ１５０）。その結果、印刷対象を表すビットマップ形式のデータである印刷データＤｐｒが生成される。これにより、印刷データ生成処理は終了する。なお、ステップＳ１５０で生成された印刷データＤｐｒは印刷機２０に送られ、印刷機２０で印刷が実行される。
【００８６】
本実施形態においては、ステップＳ１３０によってレイアウト読込みステップおよびページ配置決定ステップが実現され、ステップＳ１４０によって全体面付け情報生成ステップが実現され、ステップＳ１５０によってラスタライズステップが実現されている。
【００８７】
＜１．５  運用例＞
次に、図２２を参照しつつ、Ａ６サイズの冊子のブック印刷とＡ７サイズの冊子のブック印刷とが工場内の１つのラインで行われる場合の印刷データ生成処理の手順について説明する。
【００８８】
この例では、まず、ページサイズをＡ６として、台割り設計画面（基本設計画面５、詳細設計画面６）を用いた台割りの設計が行われる。これにより、ページサイズをＡ６とする台割りテンプレートＤｔが生成される（ステップＳ２００）。
【００８９】
次に、ステップＳ２００で生成された台割りテンプレートＤｔを用いてテスト用の印刷ジョブデータが生成され、当該印刷ジョブデータに基づく印刷出力の結果物（印刷済みの印刷用紙）を用いて第１断裁機３１の位置調整が行われる（ステップＳ２１０）。
【００９０】
次に、Ａ６サイズの冊子を印刷するためのデータの入稿が行われる（ステップＳ２２０）。その後、上述したステップＳ１３０〜Ｓ１５０と同様にして、印刷ジョブデータの生成（ステップＳ２３０）、全体面付け情報Ｄｌｙの生成（ステップＳ２４０）、およびラスタライズ処理（ステップＳ２５０）が行われる。
【００９１】
次に、Ａ７サイズの冊子を印刷するためのデータの入稿が行われる（ステップＳ２６０）。その後、上述したステップＳ１３０〜Ｓ１５０と同様にして、印刷ジョブデータの生成（ステップＳ２７０）、全体面付け情報Ｄｌｙの生成（ステップＳ２８０）、およびラスタライズ処理（ステップＳ２９０）が行われる。
【００９２】
以上の処理で生成された印刷データＤｐｒは印刷機２０に送られて、印刷機２０において印刷データＤｐｒに基づく印刷出力が実行される。印刷出力の結果である印刷イメージは例えば図３に示すようなものとなる。図３に示すように、左列において、ページセルＣ１（第１印刷領域Ｒ１）のページ配置領域ＰＲの左端位置と、ページセルＣ２（第２印刷領域Ｒ２）に含まれるページ配置領域ＰＲの左端位置とが縦断裁線Ｌ１において一致している。中央列においては縦断裁線Ｌ２において、右列においては縦断裁線Ｌ３において、ページセルＣ１（第１印刷領域Ｒ１）のページ配置領域ＰＲの左端位置と、ページセルＣ２（第２印刷領域Ｒ２）のページ配置領域ＰＲの左端位置とがそれぞれ一致している。
【００９３】
従って、冊子の作成のために印刷用紙の切断（縦方向の断裁）が第１断裁機３１により行われる際（図２のステップＳ４を参照）、Ａ６サイズの冊子の処理とＡ７サイズの冊子の処理との間に第１断裁機３１の再調整は不要である。
【００９４】
＜１．６  効果＞
本実施形態によれば、入稿データＤｉｎのページサイズ（横サイズ）が台割りテンプレートＤｔで指定されているページサイズ（横サイズ）よりも小さいときに、印刷が行われる際の単位印刷シートＰ上における各ページの実際の配置位置が、台割りテンプレートＤｔで定められているレイアウトにおける各ページを用紙幅方向についての一端または他端を固定しつつ入稿データＤｉｎのページサイズに応じて縮小することによって得られる領域に定められる。すなわち、同じ台割りテンプレートＤｔが用いられていれば、入稿データＤｉｎのページサイズに関わらず、単位印刷シートＰ上における実際の各ページの一端が一定の位置に配置される。従って、同じ台割りテンプレートＤｔが用いられている限り、印刷後の単位印刷シートＰの縦断裁線の位置は一定の位置となる。それ故、ページサイズの異なる複数の冊子を印刷するための印刷データＤｐｒを１つの台割りテンプレートＤｔに基づいて生成することによって、複数の冊子のための縦断裁の作業を途中で第１断裁機３１の再調整を要することなく行うことが可能となる。また、複数のページサイズに対して１つの台割りテンプレートＤｔを用意すれば足りるので、管理コストが低減される。以上のように、本実施形態によれば、ページサイズの異なる複数の冊子を第１断裁機３１の再調整を要することなく１つの印刷機２０で印刷できるようにする印刷データＤｐｒを生成する低コストでの運用が可能な印刷データ生成装置１０が実現される。
【００９５】
また、入稿データＤｉｎのページサイズ（縦サイズ）が台割りテンプレートＤｔで指定されているページサイズ（縦サイズ）よりも小さければ、余白カット処理によって単位印刷シートＰの縦サイズが短くなり、印刷用紙上に印刷されるページの紙送り方向の間隔が小さくなる。このようにして、印刷用紙に不必要に大きな余白が設けられることが防止される。その結果、損紙の発生量が低減される。
【００９６】
＜１．７  変形例＞
上記第１の実施形態においては、余白カット処理によって、各ページの上側（ページへの印字後に印字部２５を通過する側）の領域がブリード領域のみを残してカットされた。しかしながら、本発明はこれに限定されない。そこで、余白カット処理についての２つの変形例を以下に説明する。
【００９７】
＜１．７．１  第１の変形例＞
本変形例においては、ブリード領域として指定されている領域の大きさに関わらず、余白カット処理によって、各ページの上側の領域が用紙送り方向について一定の長さ（図２３で符号Ｌ０２を付した矢印の長さ）の領域を残してカットされる。すなわち、単位印刷シートＰの高さが図２３で符号Ｌ０３を付した矢印の長さだけ短くなる。
【００９８】
＜１．７．２  第２の変形例＞
本変形例においては、ブリード領域として指定されている領域の大きさに関わらず、余白カット処理によって、単位印刷シートＰの高さが台割りテンプレートＤｔで指定されているページサイズの縦サイズと入稿データＤｉｎに含まれるページの縦サイズとの差Ｌ０４に相当する長さだけ短くなるよう各ページの上側の領域がカットされる。すなわち、単位印刷シートＰの高さが図２４で符号Ｌ０５を付した矢印の長さだけ短くなる。
【００９９】
＜２．第２の実施形態＞
本発明の第２の実施形態について説明する。本実施形態においては、第１の実施形態とは異なり台割りテンプレートＤｔが使用されない。なお、印刷システムの全体構成および印刷データ生成装置１０のハートウェア構成については、第１の実施形態と同様であるので、説明を省略する。
【０１００】
＜２．１  印刷データ生成装置の機能構成＞
図２５は、本実施形態における印刷データ生成装置１０の機能構成を示すブロック図である。図２５に示すように、印刷データ生成装置１０は、機能的には、印刷ジョブデータ生成部８３と印刷ジョブデータ保持部８４と全体面付け情報生成部８５とラスタライズ処理部８６とを備えている。印刷ジョブデータ生成部８３には、新規生成部８３２と複製利用部８３４とが含まれている。
【０１０１】
印刷ジョブデータ保持部８４、全体面付け情報生成部８５、およびラスタライズ処理部８６は、それぞれ、第１の実施形態における印刷ジョブデータ保持部４４、全体面付け情報生成部４５、およびラスタライズ処理部４６と同様の動作を行う。
【０１０２】
印刷ジョブデータ生成部８３内の新規生成部８３２は、印刷ジョブデータＤｊを新規に生成する。詳しくは、新規生成部８３２は、例えば第１の実施形態における台割り設計画面と同様の画面を表示部１４に表示し、作業者による台割り設計の操作を受け付ける。その操作内容と入稿データＤｉｎと部数の情報Ｄｃとに基づいて、新規生成部８３２は第１の実施形態と同様の印刷ジョブデータＤｊを生成する。なお、本実施形態においては、台割りの設計内容がテンプレートとして保持されることはない。
【０１０３】
印刷ジョブデータ生成部８３内の複製利用部８３４は、印刷ジョブデータ保持部８４に保持されている印刷ジョブデータＤｊの複製物を作成し、印刷対象を新たな入稿データＤｉｎに入れ替えた印刷ジョブデータＤｊを生成する。この際、上記複製物を構成する入稿データＤｉｎのページサイズと新たな入稿データＤｉｎのページサイズとが異なれば、第１の実施形態と同様にして、印刷機２０で印刷が実行される際の単位印刷シートＰ上における各ページの実際の配置位置の決定および単位印刷シートＰの余白カット処理が行われる。このように、本実施形態においては、作業者は、既存の印刷ジョブデータＤｊを基にして、各種設定情報を維持したまま印刷対象の入稿データＤｉｎを入れ替えた新たな印刷ジョブデータＤｊの作成を行うことができる。
【０１０４】
＜２．２  運用例＞
次に、図２６を参照しつつ、Ａ６サイズの冊子のブック印刷とＡ７サイズの冊子のブック印刷とが工場内の１つのラインで行われる場合の印刷データ生成処理の手順について説明する。
【０１０５】
この例では、まず、ページサイズをＡ６として、台割りの設計が行われる。そして、その設計内容と入稿データＤｉｎと部数の情報Ｄｃとに基づいて印刷ジョブデータＤｊが生成される（ステップＳ３００）。
【０１０６】
次に、ステップＳ３００で生成された印刷ジョブデータＤｊを用いてテスト用の印刷ジョブデータが生成され、当該テスト用の印刷ジョブデータに基づく印刷出力の結果物（印刷済みの印刷用紙）用いて第１断裁機３１の位置調整が行われる（ステップＳ３１０）。その後、第１の実施形態におけるステップＳ１４０〜Ｓ１５０（図２０参照）と同様にして、全体面付け情報Ｄｌｙの生成（ステップＳ３２０）およびラスタライズ処理（ステップＳ３３０）が行われる。
【０１０７】
次に、ステップＳ３００で生成された印刷ジョブデータＤｊの複製が行われ、印刷対象をページサイズがＡ７である入稿データＤｉｎに入れ替えた印刷ジョブデータＤｊが生成される（ステップＳ３４０）。その後、第１の実施形態におけるステップＳ１４０〜Ｓ１５０と同様にして、全体面付け情報Ｄｌｙの生成（ステップＳ３５０）およびラスタライズ処理（ステップＳ３６０）が行われる。
【０１０８】
以上の処理で生成された印刷データＤｐｒは印刷機２０に送られて、印刷機２０において印刷データＤｐｒに基づく印刷出力が実行される。第１の実施形態と同様、本実施形態においても、印刷出力の結果である印刷イメージは例えば図２７に示すようなものとなる。すなわち、連帳印刷物２３０には複数のページが印刷されている。ここで符号９０で囲んだ領域に含まれる４つのページＰ１１乃至Ｐ１４から一冊のブックが製作される。従って、冊子の作成のために印刷用紙の切断（縦方向の断裁）が第１断裁機３１で行われる際（図２のステップＳ４）、Ａ６サイズの冊子の処理とＡ７サイズの冊子の処理との間に第１断裁機３１の再調整は不要である。
【０１０９】
なお、ブックを製作する作業は、上述した順序（図２に示した順序）で実行する必要はない。図２では、連帳印刷物２３０の縦方向の断裁（図２のステップＳ４）、横方向の断裁（図２のステップＳ５）、不要領域の裁断（図２のステップＳ６）という順序で実行した。しかし、例えば、連帳印刷物２３０を第１断裁機３１により縦方向に断裁（図２のステップＳ４）、符号９０（図２７参照）で囲んだ領域の上辺と下辺とを第２断裁機３２により横方向に断裁、折り機３５による４枚のページＰ１１乃至Ｐ１４のＹ方向への折り込み、ブリード領域ＢＲおよび余白領域ＳＲ（図６参照）からなる不要領域を裁断機３３により裁ち落とし、という順序で実行してもよい。
【０１１０】
なお、上述した各実施形態では連続紙２２に異なるページサイズの印刷物を連続して印刷する形態であったが、連続紙２２に同一のページサイズの印刷物を印刷する形態においても本発明は適用可能である。
【０１１１】
＜２．３  効果＞
本実施形態によれば、印刷ジョブデータＤｊを生成する際に台割りテンプレートＤｔが使用されない場合でも第１の実施形態と同様の効果が得られる。
【符号の説明】
【０１１２】
１０…印刷データ生成装置
２０…印刷機
３０…後加工機
４１…台割りテンプレート生成部
４２…台割りテンプレート保持部
４３，８３…印刷ジョブデータ生成部
４４，８４…印刷ジョブデータ保持部
４５，８５…全体面付け情報生成部
４６，８６…ラスタライズ処理部
Ｄｉｎ…入稿データ
Ｄｃ…部数の情報
Ｄｔ…台割りテンプレート
Ｄｊ…印刷ジョブデータ
Ｄｌｙ…全体面付け情報
Ｄｐｒ…印刷データ
【図１】
2019144928.tif 000003
【図２】
2019144928.tif 000004
【図３】
2019144928.tif 000005
【図４】
2019144928.tif 000006
【図５】
2019144928.tif 000007
【図６】
2019144928.tif 000008
【図７】
2019144928.tif 000009
【図８】
2019144928.tif 000010
【図９】
2019144928.tif 000011
【図１０】
2019144928.tif 000012
【図１１】
2019144928.tif 000013
【図１２】
2019144928.tif 000014
【図１３】
2019144928.tif 000015
【図１４】
2019144928.tif 000016
【図１５】
2019144928.tif 000017
【図１６】
2019144928.tif 000018
【図１７】
2019144928.tif 000019
【図１８】
2019144928.tif 000020
【図１９】
2019144928.tif 000021
【図２０】
2019144928.tif 000022
【図２１】
2019144928.tif 000023
【図２２】
2019144928.tif 000024
【図２３】
2019144928.tif 000025
【図２４】
2019144928.tif 000026
【図２５】
2019144928.tif 000027
【図２６】
2019144928.tif 000028
【図２７】
2019144928.tif 000029
【図２８】
2019144928.tif 000030